(57)【要約】  【課題】インバータ圧縮機とファンとの放熱風路上に高調波抑制用のリアクターを配置することにより、ファンの風路を遮り、圧縮機や凝縮器の放熱性能を阻害し、効率よい冷却を行うことができなかった。  【解決手段】インバータ圧縮機１０６の高調波抑制用のリアクター１０７を機械室１０３を構成する床板１０４の奥壁に収納することにより、ファン１０５の風路を遮らない構成とすることでインバータ圧縮機１０６や凝縮器の放熱性能を向上し、凝縮器の増強やマリオンパイプの延長をせずに、また、収納部を覆うカバー部材１０９を嵌め込むだけでリアクター１０７を固定でき、組立作業性を向上し効率よい冷却を確保し得ることが可能となる。【選択図】図１
2010065942.tif 000002
【特許請求の範囲】
【請求項１】
外箱と内箱と前記外箱と前記内箱との間に設けた断熱材とよりなる断熱箱体と、前記断熱箱体内部を冷却する冷却サイクルを構成するインバータ圧縮機と、前記圧縮機の高調波抑制用のリアクターと、前記圧縮機を冷却するファンと、前記圧縮機及び前記ファンを収容する樹脂製の外郭で形成された機械室とを備えて、前記機械室の外郭の一部に前記リアクターを埋め込む収納部を配置したことを特徴とする冷蔵庫。
【請求項２】
前記収納部内にはリアクターを固定する固定手段を有し、前記収納部の開口部を塞ぐカバー部材とを備え、前記カバー部材は前記開口部をビスなしで塞ぐ係止手段を備える請求項１に記載の冷蔵庫。
【請求項３】
リアクター収納部はファンの吸込み側に、圧縮機は前記ファンの吐出側に配置され、カバー部材にはリアクターの熱を排熱する排熱孔を備える請求項１または２に記載の冷蔵庫。
【請求項４】
収納部の周縁壁は断面２重構造で構成され、カバー部材のフランジ部が前記周縁壁に入り込んで固定される請求項２に記載の冷蔵庫。
【発明の詳細な説明】
【技術分野】
【０００１】
この発明は、圧縮機の回転を制御する制御回路を構成するリアクターを備えた冷蔵庫に関するものである。
【背景技術】
【０００２】
冷蔵庫には、電源投入時の突入電流を抑制または配電盤やブレーカー等に悪影響を及ぼす高調波電流の流出を防止するためにリアクターが設けられている。
【０００３】
図９は、特許文献１に記載された従来のリアクターの配置を示すものである。図９に示すように冷蔵庫１０の機械室４０に冷媒の圧縮機４２と、この圧縮機４２を冷却するための送風機４３が設けられている。この圧縮機４２と送風機４３との間の、送風機４３によって発生する気流が当たる位置にリアクター４４を配置する。これにより、送風機４３から発生する気流は圧縮機４２とリアクター４４とを冷却する。
【０００４】
一般にこのリアクターは、特許文献１に示されているように機械室の空間に設けられ、ファンの放熱風路上に係止されて構成されている。
【特許文献１】特開２００６−１７７５７４号公報
【発明の開示】
【発明が解決しようとする課題】
【０００５】
しかしながら、上記従来の構成では、リアクターはコイルを内蔵するものであり、通電により発熱し、温度が上昇すると、コイルの損失が大きくなり効率が悪くなる。そのため、所定のリアクタンスを得るためには効率が悪くなった分、電流を多く流す必要があり、この電流を許容できる電流容量を有する外形寸法の大きなリアクターを用いなければならない。特許文献１に示された機械室に収納されたものでは、ファンの風路を遮り圧縮機や凝縮器の温度が上昇しやすいため、結果として機械室４０内の放熱が円滑に行えず冷却効率が低下するという問題点があった。
【０００６】
本発明は上記従来の課題を解決するものであり、リアクターを機械室の奥壁に埋め込む収納部を配置し、ファンの風路を遮らない構成とすることで圧縮機や凝縮器の放熱性能を確保し効率よい冷却を確保しうる冷蔵庫を提供するものである。
【課題を解決するための手段】
【０００７】
上記従来の課題を解決するために、本発明の冷蔵庫は、外箱と内箱と前記外箱と前記内箱との間に設けた断熱材とよりなる断熱箱体と、前記断熱箱体内部を冷却する冷却サイクルを構成するインバータ圧縮機と、前記圧縮機の高調波抑制用のリアクターと、前記圧縮機を冷却するファンと、前記圧縮機及び前記ファンを収容する樹脂製の外郭で形成された機械室とを備えて、前記機械室の外郭の一部に前記リアクターを埋め込む収納部を配置したことを特徴とする。
【０００８】
この構成によると、送風機の発生させる気流がインバータ圧縮機などの冷却システム構成部材に効率よく当たるため、冷却システムの冷却が促進されて、冷却効率の高い冷蔵庫を提供できる。
【０００９】
また本発明は、前記構成部材が冷凍サイクルの一部をなす、冷媒の圧縮機であり、前記ファンがこの圧縮機を冷却するのに用いるファンであることを特徴とする。
【発明の効果】
【００１０】
本発明によると、ファンの強制滞留作用によるインバータ圧縮機などの冷却システム構成部材の冷却がリアクターによって阻害されないため、冷却システムの冷却が促進されて、冷却効率の高い冷蔵庫を提供できる。すなわち、圧縮機がこの気流により冷却されるため、冷媒圧縮に伴う温度上昇による圧縮機のモータコイルの損失が抑制される。従って圧縮機の放熱効果をあげるのに、凝縮器の増強や放熱パイプを追加する必要性がある従来よりも放熱性に優れた冷却システムを提供できる。
【００１１】
また圧縮機を冷却するために凝縮器の増強や放熱パイプなどの新たな部品を設けなくても放熱性能を確保し効率よい冷却を確保することができる。
【発明を実施するための最良の形態】
【００１２】
請求項１に記載の発明は、外箱と内箱と前記外箱と前記内箱との間に設けた断熱材とよりなる断熱箱体と、前記断熱箱体内部を冷却する冷却サイクルを構成するインバータ圧縮機と、前記圧縮機の高調波抑制用のリアクターと、前記圧縮機を冷却するファンと、前記圧縮機及び前記ファンを収容する樹脂製の外郭で形成された機械室とを備えて、前記機械室の外郭の一部に前記リアクターを埋め込む収納部を配置したことにより、機械室内の圧縮機の放熱を促進するファンの風路をリアクターにて阻害することない構成とすることで圧縮機や凝縮器の放熱性能を確保し効率よい冷却を確保することができる。
【００１３】
請求項２に記載の発明は、前記収納部内にはリアクターを固定する固定手段を有し、前記収納部の開口部を塞ぐカバー部材とを備え、前記カバー部材は前記開口部をビスなしで塞ぐ係止手段を備えることにより、機械室内へのリアクターの組立作業性を向上させることができる。
【００１４】
請求項３に記載の発明は、リアクター収納部はファンの吸込み側に、圧縮機は前記ファンの吐出側に配置され、カバー部材にはリアクターの熱を排熱する排熱孔を備えることにより、リアクターの放熱を促進し、温度上昇を抑制することによりリアクター内のコイルの損失を防止できる。
【００１５】
請求項４に記載の発明は、収納部の周縁壁は断面２重構造で構成され、カバー部材のフランジ部が前記周縁壁に入り込んで固定されることにより、シール性を向上し、特に上方からの水掛りに効果を発揮することができる。
【００１６】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００１７】
（実施の形態１）
本発明の実施の形態について、図面を参照しながら説明する。
【００１８】
図１は本発明の実施の形態１における冷蔵庫機械室の背面図である。図２は機械室リアクター収納部前の要部前斜視図である。図３は機械室リアクター収納部後の要部斜視図である。図４はカバー部材の斜視図である。図５はカバー部材の平面図である。図６はカバー部材断面Ａ−Ａでの断面図である。
【００１９】
図１において、冷蔵庫１０１は断熱箱体１０２で構成され、上部に機械室１０３を配置する。
【００２０】
機械室１０３は床面と奥壁，側壁を構成する樹脂製の外郭１０４で構成され、前記外郭１０４上に左側からファン１０５とインバータ圧縮機１０６を配置し、図２、図３に示すように後方奥壁の左側にリアクター１０７を収納する収納部１０８とカバー部材１０９で構成される。
【００２１】
このように、冷蔵庫１０１の上部後方の角部に嵌め込まれた形で、樹脂で外郭１０４を一体成形された機械室１０３を構成する例であれば、一体成形の樹脂面の一角を凹状に形成することで、容易にかつ経済的にリアクター１０７を収容する空間を確保できる。
【００２２】
以上のような構成とすることによって、機械室１０３内の圧縮機１０６の放熱を促進するファン１０５の風路をリアクター１０７にて阻害することない構成とすることで、圧縮機１０６や凝縮器の放熱性能を確保し効率よい冷却を確保することができる。
【００２３】
また、カバー部材１０９にはリアクター１０７を固定する固定手段１１０を有し、カバー部材１０９で塞ぐ収納部１０８には開口部１１１を備える。また、図４に示すようにカバー部材１０９には開口部１１１をビスなしで塞ぐ係止手段１１２とを備える構造とすることで機械室１０３内へのリアクター１０７の組立作業性を向上させることができる。
【００２４】
また、ファン１０５の風上側すなわち吸込み側にリアクター１０７の収納部１０８を設け、カバー部材１０９にはリアクター１０７の熱を排熱する排熱孔１１３を備えることで、収納部１０８内にあってもリアクター１０７の放熱を促進し、温度上昇を抑制することによりリアクター１０７内のコイルの損失を防止することができ、コイルサイズの大きいコスト高のリアクターを採用しなくてもいいメリットがある。
【００２５】
また、図５、図６（カバー部材１０９）、図７、図８（収納部１０８）に示すように収納部１０８の周縁壁には断面２重構造１１４を構成し、カバー部材１０９のフランジ部１１５が周縁壁に入り込んで固定されシール性を向上し、特に上方からの水掛りによる水侵入に効果を発揮することができる。
【００２６】
なお、本実施の形態では、リアクター１０７の収納部１０８をファン１０５の吸込み側に設けたが、吐出側に収納部１０８を設置してもかまわない。ファン１０５を作動することによる気圧の圧力差で空気を循環し収納部１０８内の放熱をすることができる。
【００２７】
また、本実施の形態によれば、収納部の周縁壁は断面２重構造で構成され、カバー部材のフランジ部が前記周縁壁に入り込んで固定する方法を一つの実施例として挙げたが、収納部の上方外周にフランジ状のヒサシを作ることで上方からの水掛りによる水侵入に効果を発揮することが可能である。
【産業上の利用可能性】
【００２８】
以上のように、本発明にリアクターを有する冷蔵庫においてファンの風路を遮らない構成とすることで圧縮機や凝縮器の放熱性能を確保し効率よい冷蔵庫を提供するため、一般家庭用のみならず業務用の冷凍装置や冷蔵庫などへの応用展開が可能である。
【図面の簡単な説明】
【００２９】
【図１】本発明の実施の形態１における冷蔵庫機械室の背面図
【図２】本発明の実施の形態１における機械室リアクター収納前の要部斜視図
【図３】本発明の実施の形態１における機械室リアクター収納後の要部斜視図
【図４】本発明の実施の形態１におけるカバー部材の斜視図
【図５】本発明の実施の形態１におけるカバー部材の平面図
【図６】本発明の実施の形態１におけるカバー部材断面Ａ−Ａでの断面図
【図７】本発明の実施の形態１における収納部の正面図
【図８】本発明の実施の形態１における収納部断面Ａ−Ａでの断面図
【図９】従来の機械室の背面図
【符号の説明】
【００３０】
１０１  冷蔵庫
１０２  断熱箱体
１０３  機械室
１０４  外郭
１０５  ファン
１０６  インバータ圧縮機
１０７  リアクター
１０８  収納部
１０９  カバー部材
１１０  固定手段
１１１  開口部
１１２  係止手段
１１３  排熱孔
１１４  ２重構造
１１５  フランジ部
【図１】
2010065942.tif 000003
【図２】
2010065942.tif 000004
【図３】
2010065942.tif 000005
【図４】
2010065942.tif 000006
【図５】
2010065942.tif 000007
【図６】
2010065942.tif 000008
【図７】
2010065942.tif 000009
【図８】
2010065942.tif 000010
【図９】
2010065942.tif 000011